(57)【要約】  本発明は、洗濯機の水消費量に対する監視測定方法を提供している。洗濯機が洗濯プログラムを実行し、水位設定コマンドを受信することと；洗濯機が洗濯プログラムを実行し、開始から終了までの取水弁の開放時間ｔを取得することと；洗濯機が取水弁の取水流量Ｑ＝Ｑ０＋ΔＱを計算し、さらに水消費量Ｗ＝Ｑｔを計算することと；を含む。式中、正常水圧、無負荷の状況で、洗濯機が該水位まで取水する理論流量値がＱ０、理論取水時間がｔ０である。ΔＱは流量修正値で、ΔＱは時間差（ｔ−ｔ０）、修正係数ｋから算出し、修正係数ｋは所定の固定値である。本発明における洗濯機の水消費量に対する監視測定方法は、コストが増加しない面から考慮して、洗濯の動作過程における各取水段階および取水の特徴を分析し、相応する計算方法を主として、洗濯機の洗濯過程における水消費量を計算して取得する。計算結果は比較的正確であり、洗濯機の水消費量の計算が誤差の許容範囲内にあることを保証している。【選択図】図１
2019503806.tif 000002
【特許請求の範囲】
【請求項１】
洗濯機の水消費量に対する監視測定方法であって、
洗濯機が洗濯プログラムを実行し、水位設定コマンドを受信することと；
洗濯機が洗濯プログラムを実行し、開始から終了までの取水弁の開放時間ｔを取得することと；
洗濯機が取水弁の取水流量Ｑ＝Ｑ０＋ΔＱを計算し、さらに水消費量Ｗ＝Ｑｔを計算することと；を含み、
式中、正常水圧、無負荷の状況で、洗濯機が該水位まで取水する理論流量値がＱ０、理論取水時間がｔ０であり、ΔＱは流量修正値で、ΔＱは時間差（ｔ−ｔ０）、修正係数ｋから算出し、修正係数ｋは所定の固定値であることを特徴とする方法。
【請求項２】
前記流量修正値ΔＱが、
【数１】
2019503806.tif 000011
を満たし、ｔ＞ｔ０のとき、ΔＱは正を取り、ｔ＝ｔ０のとき、ΔＱ＝０であり、ｔ＜ｔ０のとき、ΔＱは負を取る；
式中、修正係数ｋは固定の定数であり、取水圧の高さ、および取水口の面積によって決まることを特徴とする、請求項１に記載の洗濯機の水消費量に対する監視測定方法。
【請求項３】
前記修正係数ｋ＝ｋ１×ｋ２であり、
前記ｋ１は、
【数２】
2019503806.tif 000012
であり、式中、μは流量係数で、弁または管の形状と関係し、Ａは取水口の断面積、ρは流体の密度である；
前記ｋ２は、設定水位の無負荷の状態で、異なる水圧に対応する取水時間ｔから、試験により算出することができることを特徴とする、請求項１または２に記載の洗濯機の水消費量に対する監視測定方法。
【請求項４】
前記洗濯機の取水が複数の設定水位ｘを含み、各設定水位に複数の取水段階ｙが対応し、前記洗濯機の停止または洗濯終了後の水消費量は、各段階の水消費量の和であり、公式Ｗ＝Ｑｘ１×Ｔｘ１＋Ｑｘ２×Ｔｘ２＋Ｑｘ３×Ｔｘ３＋…＋Ｑｘｙ×Ｔｘｙ（Ｑｘｙは設定水位ｘに対応する取水段階ｙの流量を表し、Ｔｘｙは設定水位ｘにおける取水段階ｙの全取水弁開放時間を表す）に基づいて、洗濯機の水消費量を計算することを特徴とする、請求項１〜３のいずれか１項に記載の洗濯機の水消費量に対する監視測定方法。
【請求項５】
前記洗濯機は計算の公式に基づいて、相応する修正後の各取水段階における取水流量Ｑ１１、Ｑ１２、Ｑ１３、…、Ｑｘｙを得、
前記Ｑｘｙ＝Ｑｘ０＋ΔＱｘｙであり、式中Ｑｘ０は設定水位ｘのとき、正常水圧、無負荷の状況で、洗濯機が該水位まで取水する理論流量値を表し、ΔＱｘｙは設定水位ｘのとき、ｙ取水段階における取水流量の補正量を表すことを特徴とする、請求項４に記載の洗濯機の水消費量に対する監視測定方法。
【請求項６】
前記洗濯機は複数の取水弁を含み、各取水弁の開放時間（ｔｘｙ１、ｔｘｙ２、ｔｘｙ３、…、ｔｘｙｚ）をそれぞれ計算し、各取水段階の取水弁開放時間Ｔｘｙ＝＝ｔｘｙ１＋ｔｘｙ２＋ｔｘｙ３＋…＋ｔｘｙｚ（ｔｘｙｚは設定水位ｘにおける第ｙ段階のｚ個目の取水弁の取水時間を表す）であり；
前記ΔＱｘｙは、
【数３】
2019503806.tif 000013
であり、Ｔｘｙ０は設定水位ｘ、取水段階ｙのとき、正常水圧、無負荷の状況で、洗濯機が該水位まで取水する理論取水時間を表し、Ｔｘｙ＞Ｔｘｙ０のとき、ΔＱｘｙは正を取り、Ｔｘｙ＝Ｔｘｙ０のとき、ΔＱｘｙ＝０であり、Ｔｘｙ＜Ｔｘｙ０のとき、ΔＱｘｙは負を取ることを特徴とする、請求項４に記載の洗濯機の水消費量に対する監視測定方法。
【請求項７】
前記設定水位ｘ∈［１，１２］であり、取水段階ｙはユーザが選択したすすぎ回数と関係し、取水段階ｙ∈［１，１０］であることを特徴とする、請求項４に記載の洗濯機の水消費量に対する監視測定方法。
【請求項８】
前記洗濯機は最後のすすぎの後、すすぎ水を回収して利用することができるかどうかを測定し、できる場合、洗濯機が水消費量を計算するとき、最後のすすぎの水消費量を計算しないことを特徴とする、請求項１に記載の洗濯機の水消費量に対する監視測定方法。
【請求項９】
請求項１〜８のいずれか１項に記載の洗濯機の水消費量に対する監視測定方法を採用した洗濯機であって、前記洗濯機は取水弁および計時モジュールを含み、前記計時モジュールは取水弁の動作時間を記録し、洗濯機は計時モジュールが記録した時間を取得し、公式Ｑ＝Ｑ０＋ΔＱに基づいて、取水弁の取水流量を計算し、さらに水消費量Ｗ＝Ｑｔを計算する；
式中、正常水圧、無負荷の状況で、洗濯機が該水位まで取水する理論流量値がＱ０、理論取水時間がｔ０であり、ΔＱは流量修正値で、ΔＱは時間差（ｔ−ｔ０）、修正係数ｋから算出し、修正係数ｋは所定の固定値であることを特徴とする洗濯機。
【請求項１０】
請求項９に記載の洗濯機を有する洗濯機システムであって、前記洗濯機は、クラウドプラットフォームサーバを介してインテリジェント端末と通信接続する；
洗濯機が洗濯プログラムを実行し、洗濯の開始から洗濯の終了までの累計取水時間に基づいて、当該回の洗濯の水消費量を算出する；
洗濯機が、算出した水消費量をクラウドプラットフォームサーバに送信する；
クラウドプラットフォームサーバが、水消費量を相応するインテリジェント端末にプッシュすることを特徴とする洗濯機システム。
【発明の詳細な説明】
【技術分野】
【０００１】
本発明は、洗濯機の水消費、電力消費に対する測定技術分野に関し、具体的に、洗濯機の水消費量に対する監視測定方法、洗濯機、および洗濯機システムに関する。
【背景技術】
【０００２】
既存のドラム式洗濯機および全自動洗濯機は、いずれも洗濯の水消費量に対する測定手段を備えておらず、ユーザがある洗濯プログラムを使用して洗濯を終了しても、当該回の洗濯の水消費量を知ることはできない。ユーザの洗濯機に対する理解は、依然として元からある洗濯時間、洗濯プログラム、洗濯の水温、洗濯水位などの状態に留まっている。ユーザがより深く洗濯機を理解するのを助け、ユーザの節水習慣を養うため、洗濯機に洗濯の水消費量に対する測定手段を追加することは必要である。
【０００３】
洗濯機の水消費量に対する測定について、既存の方法は、主に流量計などの測定装置により、洗濯機の水消費量を測定する。このような方式は、洗濯機の水使用量をより精確に測定することができるが、洗濯機自体に相応するハードウェア装置および関連回路を余分に追加しなければ、相応する需要を満たすことができない。洗濯機自体に比較的大きなコスト増加を引き起こし、ユーザ体験および洗濯機のコスト増加の面から考慮すると、そのコストパフォーマンスは比較的低い。
【０００４】
他に、既存の洗濯機は、たとえ洗濯過程の水消費量を取得することができても、通常、洗濯機の表示パネルに簡単に表示されるのみで、ユーザは一般的に自ら進んで該水消費量を取得することはない。たとえユーザが該水消費量を一度取得しても、この回の水消費量のみを取得することしかできず、洗濯機の長期に渡る水消費状況および洗濯機の使用状況を把握することはできないため、実際の使用価値を有さない。
【０００５】
このことを考慮して、特に本発明を示す。
【発明の概要】
【発明が解決しようとする課題】
【０００６】
上記問題を解決するため、本発明における第１の発明の目的は、洗濯機の水消費量に対する測定方法を提供することである。具体的に、以下の技術案を採用している。
洗濯機の水消費量に対する監視測定方法は、
洗濯機が洗濯プログラムを実行し、水位設定コマンドを受信することと；
洗濯機が洗濯プログラムを実行し、開始から終了までの取水弁の開放時間ｔを取得することと；
洗濯機が取水弁の取水流量Ｑ＝Ｑ０＋ΔＱを計算し、さらに水消費量Ｗ＝Ｑｔを計算することと；を含む。
式中、正常水圧、無負荷の状況で、洗濯機が該水位まで取水する理論流量値がＱ０、理論取水時間がｔ０である。ΔＱは流量修正値で、ΔＱは時間差（ｔ−ｔ０）、修正係数ｋから算出し、修正係数ｋは所定の固定値である。
【０００７】
さらに、前記流量修正値ΔＱは、
【０００８】
【数１】
2019503806.tif 000003
【０００９】
を満たす。ｔ＞ｔ０のとき、ΔＱは正を取り、ｔ＝ｔ０のとき、ΔＱ＝０であり、ｔ＜ｔ０のとき、ΔＱは負を取る。
式中、修正係数ｋは固定の定数であり、取水圧の高さ、および取水口の面積によって決まる。
【００１０】
さらに、前記修正係数ｋ＝ｋ１×ｋ２である。
前記ｋ１は、
【００１１】
【数２】
2019503806.tif 000004
【００１２】
であり、式中、μは流量係数で、弁または管の形状に関係し、Ａは取水口の断面積、ρは流体の密度である。
前記ｋ２は、設定水位の無負荷の状態で、異なる水圧に対応する取水時間ｔから、試験により算出することができる。
【００１３】
さらに、前記洗濯機の取水は複数の設定水位ｘを含み、各設定水位に複数の取水段階ｙが対応する。前記洗濯機の停止または洗濯終了後の水消費量は、各段階の水消費量の和であり、公式Ｗ＝Ｑｘ１×Ｔｘ１＋Ｑｘ２×Ｔｘ２＋Ｑｘ３×Ｔｘ３＋…＋Ｑｘｙ×Ｔｘｙ（Ｑｘｙは設定水位ｘに対応する取水段階ｙの流量を表し、Ｔｘｙは設定水位ｘにおける取水段階ｙの全取水弁開放時間を表す）に基づいて、洗濯機の水消費量を計算する。
【００１４】
さらに、前記洗濯機は計算の公式に基づいて、相応する修正後の各取水段階における取水流量Ｑ１１、Ｑ１２、Ｑ１３…、Ｑｘｙを得る。
前記Ｑｘｙ＝Ｑｘ０＋ΔＱｘｙである。式中Ｑｘ０は設定水位ｘのとき、正常水圧、無負荷の状況で、洗濯機が該水位まで取水する理論流量値を表し、ΔＱｘｙは設定水位ｘのとき、ｙ取水段階における取水流量の補正量を表す。
【００１５】
さらに、前記洗濯機は複数の取水弁を含み、各取水弁の開放時間（ｔｘｙ１、ｔｘｙ２、ｔｘｙ３、…、ｔｘｙｚ）をそれぞれ計算する。各取水段階の取水弁開放時間Ｔｘｙ＝＝ｔｘｙ１＋ｔｘｙ２＋ｔｘｙ３＋…＋ｔｘｙｚ（ｔｘｙｚは設定水位ｘにおける第ｙ段階のｚ個目の取水弁の取水時間を表す）である。
前記ΔＱｘｙは、
【００１６】
【数３】
2019503806.tif 000005
【００１７】
であり、Ｔｘｙ０は設定水位ｘ、取水段階ｙのとき、正常水圧、無負荷の状況で、洗濯機が該水位まで取水する理論取水時間を表す。Ｔｘｙ＞Ｔｘｙ０のとき、ΔＱｘｙは正を取り、Ｔｘｙ＝Ｔｘｙ０のとき、ΔＱｘｙ＝０であり、Ｔｘｙ＜Ｔｘｙ０のとき、ΔＱｘｙは負を取る。
【００１８】
さらに、前記設定水位ｘ∈［１，１２］であり、取水段階ｙはユーザが選択したすすぎ回数と関係し、取水段階ｙ∈［１，１０］である。
【００１９】
さらに、前記洗濯機は最後のすすぎの後、すすぎ水を回収して利用することができるかどうかを測定する。できる場合、洗濯機が水消費量を計算するとき、最後のすすぎの水消費量を計算しない。
【００２０】
本発明における第２の発明の目的は、前記洗濯機の水消費量に対する監視測定方法を採用した洗濯機を提供することである。前記洗濯機は取水弁および計時モジュールを含み、前記計時モジュールは取水弁の動作時間を記録する。洗濯機は計時モジュールが記録した時間を取得し、公式Ｑ＝Ｑ０＋ΔＱに基づいて、取水弁の取水流量を計算し、さらに水消費量Ｗ＝Ｑｔを計算する。
式中、正常水圧、無負荷の状況で、洗濯機が該水位まで取水する理論流量値がＱ０、理論取水時間がｔ０である。ΔＱは流量修正値で、ΔＱは時間差（ｔ−ｔ０）、修正係数ｋから算出し、修正係数ｋは所定の固定値である。
【００２１】
本発明における第３の発明の目的は、前記洗濯機を有する洗濯機システムを提供することである。前記洗濯機は、クラウドプラットフォームサーバを介してインテリジェント端末と通信接続する。
洗濯機が洗濯プログラムを実行し、洗濯の開始から洗濯の終了までの累計取水時間に基づいて、当該回の洗濯の水消費量を算出する。
洗濯機が、算出した水消費量をクラウドプラットフォームサーバに送信する。
クラウドプラットフォームサーバが、水消費量を相応するインテリジェント端末にプッシュする。
【００２２】
本発明における洗濯機の水消費量に対する監視測定方法は、コストが増加しない面から考慮して、洗濯機の動作過程における各取水段階および取水の特徴を分析し、相応する計算方法を主として、洗濯機の洗濯過程における水消費量を計算して取得する。さらに本発明における洗濯機の水消費量に対する計算結果は、流量計で測定したデータと基本的に一致する。したがって、本発明における水消費量に対する計算方法の計算結果は比較的正確であり、洗濯機の水消費量の計算が誤差の許容範囲内にあることを保証している。
【００２３】
本発明における洗濯機の水消費量に対する監視測定方法は、コストが上昇しない前提で、洗濯機の水消費量に対する正確な測定を実現している。さらに算出した水消費量値をユーザに示し、ユーザは水消費量情報を直接見て取得する。良好な洗濯機の使用習慣を養い、水を節約するのに便利である。
【図面の簡単な説明】
【００２４】
【図１】図１は、本発明の実施例における洗濯機の水消費量に対する監視測定方法のフローチャートである。
【図２】図２は、本発明の実施例１における洗濯機の水消費量に対する監視測定方法のフローチャートである。
【図３】図３は、本発明の実施例における洗濯機の水消費量に対する監視測定方法のフローチャートである。
【発明を実施するための形態】
【００２５】
以下、図を組み合わせて、本発明における洗濯機の水消費量に対する監視測定方法、洗濯機、および洗濯機システムについて、詳細に説明する。
本実施例における洗濯機の水消費量に対する監視測定方法は、
洗濯機が洗濯プログラムを実行し、水位設定コマンドを受信することと；
洗濯機が洗濯プログラムを実行し、開始から終了までの取水弁の開放時間ｔを取得することと；
洗濯機が取水弁の取水流量Ｑ＝Ｑ０＋ΔＱを計算し、さらに水消費量Ｗ＝Ｑｔを計算することと；を含む。
式中、正常水圧、無負荷の状況で、洗濯機が該水位まで取水する理論流量値がＱ０、理論取水時間がｔ０である。ΔＱは流量修正値で、ΔＱは時間差（ｔ−ｔ０）、修正係数ｋから算出し、修正係数ｋは所定の固定値である。
【００２６】
まず、正常水圧Ｐ０に基づいて、取水が設定水位Ｌ０に達する時間ｔ０、設定水位に対応する水量Ｖ０を記録する。該水量Ｖ０は洗濯機が無負荷の状況で試験により得られ、対応する取水流量Ｑ０＝Ｖ０／ｔ０である。洗濯機に衣類を投入したとき、異なる水圧は取水流量に影響を及ぼすため、水圧の大きさに基づいて、取水流量を修正、補充する必要がある。
【００２７】
本実施例における洗濯機の水消費量に対する監視測定方法は、取水弁の開放時間ｔを測定することにより、公式Ｗ＝Ｑｔから洗濯機の水消費量を計算する。取水弁の流量Ｑについて、正常水圧、無負荷の状況で、洗濯機が該水位まで取水する理論流量値Ｑ０を基にし、取水の水圧および取水弁の構造的特徴を考慮して取水流量の修正値ΔＱを得、最終的に取水弁から取水された実際の取水流量Ｑ＝Ｑ０＋ΔＱを算出する。したがって、本発明における洗濯機の水消費量に対する監視測定方法は、取水弁の実際の動作状況により符合し、算出した取水流量Ｑはより正確であり、流量計の測定値との差は大きくない。これにより、本発明における洗濯機の水消費量に対する監視測定方法が算出した水消費量は誤差範囲内にあり、計算結果は信頼でき、参考とすることができる。
【００２８】
洗濯機は一般的に複数の取水水位を含み、各取水水位に１組の理論流量値Ｑ０および理論取水時間ｔ０が対応する。したがって、本発明は複数組の理論流量値Ｑ０および理論取水時間ｔ０を有し、ある設定水位を選択したとき、相応する１組の理論流量値Ｑ０および理論取水時間ｔ０も選択される。
【００２９】
さらに、本実施例の前記流量修正値ΔＱは、
【００３０】
【数４】
2019503806.tif 000006
【００３１】
を満たし、ｔ＞ｔ０のとき、ΔＱは正を取り、ｔ＝ｔ０のとき、ΔＱ＝０であり、ｔ＜ｔ０のとき、ΔＱは負を取る。
式中、修正係数ｋは固定の定数であり、取水圧の高さおよび取水口の面積によって決まる。
【００３２】
具体的に、本実施例に記載の修正係数ｋ＝ｋ１×ｋ２であり、
前記ｋ１は
【００３３】
【数５】
2019503806.tif 000007
【００３４】
であり、式中、μは流量係数で、弁または管の形状と関係し、Ａは取水口の断面積、ρは流体の密度である。
前記ｋ２は設定水位の無負荷の状態で、異なる水圧に対応する取水時間ｔから、試験により算出することができる。
【００３５】
設定水位が確定した場合、異なる水圧に対応する取水流量、取水時間は異なり、取水弁の流量、流速、断面積、水圧の間の関係は、
【００３６】
【数６】
2019503806.tif 000008
【００３７】
であり、式中μは流量係数で、弁または管の形状と関係し、一般的な値は０．６〜０．６５である。Ａは水道管の断面積で、単位ｍ２である。Ｐは弁を通過する前後の圧力差で、単位Ｐａであり、Ｐ＝Ｐ１−Ｐ２、Ｐ１は水圧、Ｐ２は標準気圧である。ρは流体の密度で、単位はＫｇ／ｍ３である。ｖは流速である。上記の関係式から、取水水圧および流量には正比例の関係が存在し、すなわちＱ２＝ｋ１×Ｐであることがわかる。ｋ１は蛇口の関連パラメータに基づいて、算出することができる。
【００３８】
洗濯機が無負荷の状態で、水位の設定が確定値であるとき、取水水圧および取水時間には反比例の対応関係が存在し、すなわちＰ＝ｋ２／ｔである。無負荷の状態で試験により得られ、異なる水圧は異なる時間に対応し、ｋ２は実験データにより測定して得ることができるため、Ｑ２＝ｋ／ｔ、ｋ＝ｋ１×ｋ２、
【００３９】
【数７】
2019503806.tif 000009
【００４０】
であり、ｔ＞ｔ０のとき、ΔＱは正を取り、ｔ＝ｔ０のとき、ΔＱ＝０であり、ｔ＜ｔ０のとき、ΔＱは負を取る。
【００４１】
したがって、本実施例の取水流量Ｑの計算は、取水に影響を及ぼす要素を充分に考慮し、理論値をさらに修正して、実際の取水流量により近づけ、水消費量の計算の正確性を保証している。
【００４２】
本実施例の前記洗濯機の取水は複数の設定水位ｘを含み、各設定水位に複数の取水段階ｙが対応する。前記洗濯機の停止または洗濯終了後の水消費量は、各段階の水消費量の和であり、公式Ｗ＝Ｑｘ１×Ｔｘ１＋Ｑｘ２×Ｔｘ２＋Ｑｘ３×Ｔｘ３＋…＋Ｑｘｙ×Ｔｘｙ（Ｑｘｙは設定水位ｘに対応する取水段階ｙの流量を表し、Ｔｘｙは設定水位ｘにおける取水段階ｙの全取水弁開放時間を表す）に基づいて、洗濯の水消費量を計算する。
【００４３】
本実施例の洗濯機は、一般的に洗濯の取水段階およびすすぎの取水段階を含み、噴霧取水、主取水、軟化取水などの過程の取水を含むこともできる。したがって、本実施例における洗濯機の水消費量に対する監視測定方法は、実際の動作状況に基づいて、取水を複数の取水段階に分け、各取水段階で計算し、誤差を最大限に低下させることができる。他に、洗濯機のタイプまたは洗濯機のプログラムの選択に基づいて、相応する取水段階の取水量を選択して計算することができ、実際の動作状態における水消費量の計算により有利である。
【００４４】
さらに、本実施例に記載の洗濯機は、計算の公式に基づいて、相応する修正後の各取水段階における取水流量Ｑ１１、Ｑ１２、Ｑ１３、…、Ｑｘｙを得る。
前記Ｑｘｙ＝Ｑｘ０＋ΔＱｘｙである。式中、Ｑｘ０は設定水位ｘのとき、正常水圧、無負荷の状況で、洗濯機が該水位まで取水する理論流量値を表し、ΔＱｘｙは設定水位ｘのとき、ｙ取水段階における取水流量の補正量を表す。
【００４５】
さらに、前記洗濯機は複数の取水弁を含み、各取水弁の開放時間（ｔｘｙ１、ｔｘｙ２、ｔｘｙ３、…、ｔｘｙｚ）をそれぞれ計算する。各取水段階の取水弁開放時間Ｔｘｙ＝＝ｔｘｙ１＋ｔｘｙ２＋ｔｘｙ３＋…＋ｔｘｙｚ（ｔｘｙｚは設定水位ｘにおける第ｙ段階のｚ個目の取水弁の取水時間を表す）である。
前記ΔＱｘｙは、
【００４６】
【数８】
2019503806.tif 000010
【００４７】
であり、Ｔｘｙ０は設定水位ｘ、取水段階ｙのとき、正常水圧、無負荷の状況で、洗濯機が該水位まで取水する理論取水時間を表す。Ｔｘｙ＞Ｔｘｙ０のとき、ΔＱｘｙは正を取り、Ｔｘｙ＝Ｔｘｙ０のとき、ΔＱｘｙ＝０であり、Ｔｘｙ＜Ｔｘｙ０のとき、ΔＱｘｙは負を取る。
【００４８】
本実施例は、さらに取水弁の設置数を考慮し、各取水弁について単独で計算し、誤差が増大するのを防止する。さらに、実際に洗濯プログラムで動作した取水弁に基づいて計算することができ、柔軟性がより高く、適応性がより高く、計算結果はより精確である。
【００４９】
本実施例の設定水位ｘ∈［１，１２］であり、取水段階ｙはユーザが選択したすすぎ回数と関係し、取水段階ｙ∈［１，１０］である。具体的に、ｘ、ｙ値の範囲はユーザが選択したすすぎ回数と関係する。
【００５０】
図１に、本実施例における洗濯機の水消費量に対する監視測定方法を示す。
【００５１】
本実施例は、前記洗濯機の水消費量に対する監視測定方法を採用した洗濯機を提供している。前記洗濯機は取水弁および計時モジュールを含み、前記計時モジュールは取水弁の動作時間を記録する。洗濯機は計時モジュールが記録した時間を取得し、公式Ｑ＝Ｑ０＋ΔＱに基づいて、取水弁の取水流量を計算し、さらに水消費量Ｗ＝Ｑｔを計算する。
式中、正常水圧、無負荷の状況で、洗濯機が該水位まで取水する理論流量値がＱ０、理論取水時間がｔ０である。ΔＱは流量修正値で、ΔＱは時間差（ｔ−ｔ０）、修正係数ｋから算出し、修正係数ｋは所定の固定値である。
【００５２】
本実施例の洗濯機はコストが上昇しない前提で、洗濯機の水消費量の正確な測定を実現している。さらに算出した水消費量値をユーザに示し、ユーザは水消費量情報を直接見て取得する。良好な洗濯機の使用習慣を養い、水を節約するのに便利である。
【００５３】
図３に示すように、本実施例の前記洗濯機を有する洗濯機システムにおいて、前記洗濯機は、クラウドプラットフォームサーバを介してインテリジェント端末と通信接続する。
洗濯機が洗濯プログラムを実行し、洗濯の開始から洗濯の終了までの累計取水時間に基づいて、当該回の洗濯の水消費量を算出する。
洗濯機が、算出した水消費量をクラウドプラットフォームサーバに送信する。
クラウドプラットフォームサーバが水消費量を相応するインテリジェント端末にプッシュする。
【００５４】
本実施例の洗濯機システムは、選択したプログラムの動作が終了すると、当該回の動作で生じた水消費量を計算し、ネットワークを介して水消費量をクラウドプラットフォームサーバに伝達し、クラウドプラットフォームサーバはデータをモバイル端末にさらに伝達する。モバイル端末の表示インタフェースはデータをユーザに示すか、または音声などの方式でユーザに伝達する。
【００５５】
本実施例の洗濯機システムは、一方ではクラウドプラットフォームサーバがユーザの水消費量情報を送信するのに便利であり、もう一方では情報の保存に便利である。他に、クラウドプラットフォームサーバは、ユーザの実際の使用状況に基づいて、関係する節水方法をプッシュし、ユーザが参考にできるようにする。
【００５６】
本実施例の洗濯機システムは、算出した水消費量値をユーザに示し、ユーザは水消費量情報を直接見て取得する。良好な洗濯機の使用習慣を養い、水を節約するのに便利である。
【００５７】
他に、さらに説明する必要があることとして、本実施例の洗濯機本機側に、水消費量を表示することができる表示モジュールも有し、洗濯機は水消費量を算出すると表示モジュールに直接表示することができる。
【００５８】
さらに、洗濯プログラムの各洗濯段階で水消費量の計算が完了すると、表示モジュールに表示することができ、ユーザが各洗濯段階の水消費量を確認するのに便利である。
【実施例】
【００５９】
実施例１
図２に示すように、本実施例の洗濯機は水の再利用機能を有する。洗濯機の水消費量に対する監視測定方法において、前記洗濯機は最後のすすぎの後、すすぎ水を回収して利用することができるかどうかを測定する。できる場合、洗濯機が水消費量を計算するとき、最後のすすぎの水消費量を計算しない。
【００６０】
本実施例における洗濯機の監視測定方法は、水の再利用機能を有する洗濯機の動作方式に対して、水の再利用が水消費量に与える影響を充分に考慮しており、計算結果はより精確である。
【００６１】
本実施例における洗濯機の水消費量に対する監視測定方法は、
洗濯機が洗濯を開始することと；
洗濯機の最後のすすぎの後、濁度、硬度センサがすすぎ水の濁度、硬度値を監視測定することと；
監視測定した濁度値および硬度値が、水の再利用に対する要求を満たすかどうかを判断することと；
満たすと判断した場合、洗濯機は石けん水と判断して、繰り返し洗濯に利用することができ、本機側およびアプリケーション側から同時にユーザに通知し、洗濯機が水消費量の計算を完了すると、クラウドプラットフォームサーバにアップロードすることと；
満たさないと判断した場合、洗濯は排水を実行し、洗濯完了後、水消費量を計算し、クラウドプラットフォームサーバにアップロードすることとを含む。
【００６２】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修飾することができるが、いずれも本発明の技術案の内容を逸脱しない。本発明の技術的本質に基づいて、以上の実施例に対して行う簡単な修正、均等変化および修飾は、いずれも本発明案の範囲内に属する。
【図１】
2019503806.tif 000014
【図２】
2019503806.tif 000015
【図３】
2019503806.tif 000016
【国際調査報告】
2019503806.tif 000017
2019503806.tif 000018
2019503806.tif 000019
2019503806.tif 000020